(57)【特許請求の範囲】
【請求項１】
先端工具に打撃力を伝達する中間打撃子と、該中間打撃子を収容するシリンダと、該シリンダ外周に位置し、軸受を介して前記シリンダを回転可能に軸支するシリンダケースと、該シリンダケースに固定されるフロントカバーとを有し、前記シリンダの軸方向において前記フロントカバーと前記軸受との間に緩衝材と、該緩衝材と前記軸受との間にプレートを備えた打撃工具において、
前記緩衝材の半径方向内側の前記シリンダとの対向面と前記シリンダ外周との間に前記緩衝材の変形量を規制する規制部材を設けたことを特徴とする打撃工具。
【請求項２】
前記規制部材は前記プレートと一体であり、前記プレートは断面Ｌ字型に構成されていることを特徴とする請求項１記載の打撃工具。
【発明の詳細な説明】
【０００１】
【発明の属する技術分野】
本発明は、ハンマドリル等に使用される緩衝材の変形量を規制可能な規制部材に関するものである。
【０００２】
【従来の技術】
図２は緩衝部材１７’を具備する打撃工具を示す縦断側面図である。緩衝部材１７’は、シリンダ３との対向面１７”を有しており、緩衝部材１７’の両側面をプレート１６’及びフロントカバー１８’で保持し、且つ緩衝部材１７’の反対向面側をシリンダケース１１の内周面で保持している。
【０００３】
【発明が解決しようとする課題】
上記構成では、緩衝部材の対向面を何ら保持していないため、中間打撃子の軸力が大きいと緩衝部材が変形可能な位置まで変形してしまい、場合によっては緩衝部材が変形したまま元の状態に戻らないという問題を有していた。また、打撃時に生じる熱により緩衝部材が熱膨張すると上記シリンダ側に緩衝部材が変形してしまうため、緩衝部材が変形したまま元の状態に戻らないという上記同様の問題を有していた。
【０００４】
本発明の目的は、上記問題を解消し、緩衝部材の変形量を規制することで、緩衝部材の寿命向上を図ることである。
【０００５】
【課題を解決するための手段】
上記目的は、先端工具に打撃力を伝達する中間打撃子と、該中間打撃子を収容するシリンダと、該シリンダ外周に位置し、軸受を介して前記シリンダを回転可能に軸支するシリンダケースと、該シリンダケースに固定されるフロントカバーとを有し、前記シリンダの軸方向において前記フロントカバーと前記軸受との間に緩衝材と、該緩衝材と前記軸受との間にプレートを備えた打撃工具において、前記緩衝材の半径方向内側の前記シリンダとの対向面と前記シリンダ外周との間に前記緩衝材の変形量を規制する規制部材を設けたことにより達成される。
【０００６】
【発明の実施の形態】
図１は本発明になるハンマドリルの一実施例を示す縦断側面図である。
【０００７】
先端工具１を案内するリテーナスリーブ２は、シリンダ３にニードルピン４で係止されており且つ中間打撃子５の外周を案内している。長溝を有する先端工具１は、リテーナスリーブ２に配設したニードルローラ６に係止されており、ニードルローラ６はニードルホルダ７に保持されている。ニードルホルダ７の外周に配設されたグリップ８は、リテーナスリーブ２にフロントキャップ９で係止されている。シリンダ３はシリンダケース１１に軸受１２を介して軸支されており、軸受１２の内輪は、スリーブ１３、スリーブ１４、トメワ１５によりシリンダ３に一体的に設けられている。また、軸受１２の外輪は、プレート１６、緩衝部材である例えばウレタンリング１７をフロントカバー１８で保持し、このフロントカバー１８をシリンダケース１１にネジ止めすることにより固定されている。更にシリンダ３の内周には、ダンパホルダ２０、ダンパ２１、ダンパワッシャ２２が順に配設されており、中間打撃子５の平面部５ａにそれぞれが当接するようにＣリング１９で固定している。中間打撃子５は、先端工具１と打撃子２３との間に配設されており、図示しないモータの回転力を運動変換部により打撃力に変換し、この打撃力を打撃子２３等を介して中間打撃子５に伝達することで、先端工具１に打撃力を伝達することができる。
【０００８】
被削材の加工作業時、被削材から先端工具１を離すと図１に示すように中間打撃子５はリテーナスリーブ２に衝突するため、これにより先端工具１側に軸力が発生する。この軸力は、リテーナスリーブ２からニードルピン４を介してシリンダ３に伝わり、更にシリンダ３から軸受１２、プレート１６、ウレタンリング１７に伝わるため、最終的にウレタンリング１７で吸収させることができる。なお、ウレタンリング１７は、軸方向に一定の締め代を有する状態でプレート１６とフロントカバー１８に挟持されていると共に軸受１２の固定を行っている。プレート１６は、ウレタンリング１７の反先端工具１側に位置する側面と当接する部分と、ウレタンリング１７の対向面１７ａと当接可能な規制部材１６ａとを一体形成することでＬ字型に構成されている。このような構成にすることで、先端工具１を前方に引き抜く大きな力、即ち大きな軸力が発生した場合であっても上記対向面１７ａの上方にウレタンリング１７の圧縮変形量を規制可能な規制部材１６ａが設けられているため、ウレタンリング１７がシリンダ３側に変形しようとしても上記規制部材１６ａにより所定量しか変形しないため、ウレタンリング１７は軸方向に変形しにくくなり、これによりウレタンリング１７の過剰な変形を規制することができるので、結果的にウレタンリング１７の寿命向上を図ることができるという効果を本実施例は奏するものである。また、打撃時に生じる熱によりウレタンリング１７が熱膨張し上記シリンダ３側に変形してしまうことを上記規制部材１６ａで防止することができる。なお、プレート１６の軸方向長さをウレタンリング１７の軸方向長さより小さくすると、ウレタンリング１７により短時間の衝撃力を吸収し、静的に小さい荷重をウレタンリング１７以外の機械部品により受けることができるため、ウレタンリング１７の寿命向上を更に図ることができる。
【０００９】
ここで、上述した実施例では、一体形成によりプレート１６に規制部材１６ａを設けているが、シリンダ３側へのウレタンリング１７の変形量を規制するものであれば、プレートと別体に規制部材を設けても上記同様の効果を得ることができる。例えば、従来に示すプレートとは別に円筒形状のリングを軸受１２とフロントカバ１８との間に配設しても良い。また、上述した実施例では、ウレタンリング１７を変形させていった場合、規制部材１６ａの端部がフロントカバー１８の側面に当接しない構成になっているが、規制部材１６ａの端部をフロントカバー１８の側面に当接させることで、ウレタンリング１７の変形量を当接距離に応じて設定することができる。更に上述した実施例では、プレート１６の軸方向長さをウレタンリング１７の軸方向長さより小さくしているが、ウレタンリング１７の変形に問題が生じない範囲内であれば、必ずしも短くする必要はない。
【００１０】
【発明の効果】
本発明によれば、緩衝部材の変形量を規制する規制部材を設けることで、緩衝部材の寿命向上を図ることができる。
【図面の簡単な説明】
【図１】  本発明になるハンマドリルの一実施例を示す縦断側面図である。
【図２】  従来のハンマドリルを示す縦断側面図である。
【符号の説明】
１は先端工具、３はシリンダ、５は中間打撃子、１２は軸受、１６はプレート、１６ａは規制部材、１７は緩衝部材、１７ａは対向面、１８はフロントカバー、２３は打撃子である。
【図１】
0003709680.tif 000002
【図２】
0003709680.tif 000003